【手続補正書】
【提出日】平成17年8月15日(2005.8.15)
【手続補正１】
【補正対象書類名】明細書
【補正対象項目名】特許請求の範囲
【補正方法】変更
【補正の内容】
【特許請求の範囲】
【請求項１】
供給された電力により動作する複数の電気部品と、
該複数の電気部品それぞれを制御するための処理を行なうとともに、バックアップ電源により遊技機に対する電力供給が停止してもデータが保持されるＲＡＭを有し、電力供給開始時に前記ＲＡＭの保持データに基づいて制御を再開させることが可能な、第１の電気部品制御マイクロコンピュータおよび第２の電気部品制御マイクロコンピュータと、
前記遊技媒体を検出したときに遊技媒体検出信号を前記第１の電気部品制御マイクロコンピュータに出力する遊技媒体検出手段と、
該遊技媒体検出手段から前記遊技媒体検出信号が第１の所定期間出力されたことに応じて遊技媒体の払出に関連した処理を実行する遊技媒体検出判定手段と、
払出すための遊技媒体が欠乏した状態を検出して前記遊技媒体の払出の可否を判定するために用いられる信号を前記第１の電気部品制御マイクロコンピュータに出力する遊技媒体欠乏状態検出手段と、
該遊技媒体欠乏状態検出手段が出力する信号に基づき、払出が不能であるか否かを判定する払出不能判定手段と、
供給された電力を整流し複数の電圧を生成する電圧生成手段と、
該電圧生成手段により整流された電力の電圧を監視し、予め定められた検出電圧に低下したときに検出信号を出力する電源監視手段とを含み、
前記第１の電気部品制御マイクロコンピュータと前記第２の電気部品制御マイクロコンピュータとは、共に、
単一の前記電源監視手段から前記検出信号が入力されるとともに、該検出信号に応じて、電力供給が停止してもデータが保持されている前記ＲＡＭへのアクセスを禁止するＲＡＭアクセス禁止処理を行なう電力供給停止時処理を実行し、かつ、
前記ＲＡＭがデータを保持している状態で電源断状態から電源が復帰したときに、前記ＲＡＭの保持データに基づいて、前記電源断状態発生時点の制御状態に復帰させる復帰時処理を行ない、
前記払出不能判定手段は、前記遊技媒体欠乏状態検出手段が出力する払出の不能を示す信号を前記第１の所定期間よりも長い第２の所定期間出力したときに、前記遊技媒体の払出が不能である旨の判定をするとともに、前記遊技媒体の払出を不能とするための処理を実行する、遊技機。
【請求項２】
前記払出不能判定手段は、前記遊技媒体欠乏状態検出手段が第１の所定時間よりも長い第３の所定時間連続して遊技媒体の払出が不能であることを示す信号を出力しないことを条件に、前記遊技媒体の払出の停止を解除するための処理を実行する、請求項１に記載の遊技機。
【手続補正２】
【補正対象書類名】明細書
【補正対象項目名】０００８
【補正方法】変更
【補正の内容】
【０００８】
【課題を解決するための手段】
請求項１に記載の本発明は、供給された電力により動作する複数の電気部品と、
該複数の電気部品それぞれを制御するための処理を行なうとともに、バックアップ電源により遊技機に対する電力供給が停止してもデータが保持されるＲＡＭを有し、電力供給開始時に前記ＲＡＭの保持データに基づいて制御を再開させることが可能な、第１の電気部品制御マイクロコンピュータおよび第２の電気部品制御マイクロコンピュータと、
前記遊技媒体を検出したときに遊技媒体検出信号を前記第１の電気部品制御マイクロコンピュータに出力する遊技媒体検出手段と、
該遊技媒体検出手段から前記遊技媒体検出信号が第１の所定期間出力されたことに応じて遊技媒体の払出に関連した処理を実行する遊技媒体検出判定手段と、
払出すための遊技媒体が欠乏した状態を検出して前記遊技媒体の払出の可否を判定するために用いられる信号を前記第１の電気部品制御マイクロコンピュータに出力する遊技媒体欠乏状態検出手段と、
該遊技媒体欠乏状態検出手段が出力する信号に基づき、払出が不能であるか否かを判定する払出不能判定手段と、
供給された電力を整流し複数の電圧を生成する電圧生成手段と、
該電圧生成手段により整流された電力の電圧を監視し、予め定められた検出電圧に低下したときに検出信号を出力する電源監視手段とを含み、
前記第１の電気部品制御マイクロコンピュータと前記第２の電気部品制御マイクロコンピュータとは、共に、
単一の前記電源監視手段から前記検出信号が入力されるとともに、該検出信号に応じて、電力供給が停止してもデータが保持されている前記ＲＡＭへのアクセスを禁止するＲＡＭアクセス禁止処理を行なう電力供給停止時処理を実行し、かつ、
前記ＲＡＭがデータを保持している状態で電源断状態から電源が復帰したときに、前記ＲＡＭの保持データに基づいて、前記電源断状態発生時点の制御状態に復帰させる復帰時処理を行ない、
前記払出不能判定手段は、前記遊技媒体欠乏状態検出手段が出力する払出の不能を示す信号を前記第１の所定期間よりも長い第２の所定期間出力したときに、前記遊技媒体の払出が不能である旨の判定をするとともに、前記遊技媒体の払出を不能とするための処理を実行する。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
請求項２に記載の本発明は、請求項１に記載の本発明の構成に加えて、前記払出不能判定手段は、前記遊技媒体欠乏状態検出手段が第１の所定時間よりも長い第３の所定時間連続して遊技媒体の払出が不能であることを示す信号を出力しないことを条件に、前記遊技媒体の払出の停止を解除するための処理を実行する。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
【作用】
請求項１に記載の本発明によれば、以下の作用が生じる。供給された電力により複数の電気部品が動作する。該複数の電気部品それぞれを制御するための処理を行なうとともに、バックアップ電源により遊技機に対する電力供給が停止してもデータが保持されるＲＡＭを有し、電力供給開始時に前記ＲＡＭの保持データに基づいて制御を再開させることが可能な、第１の電気部品制御マイクロコンピュータおよび第２の電気部品制御マイクロコンピュータとが、備えられている。    遊技媒体検出手段の働きにより、前記遊技媒体を検出したときに遊技媒体検出信号が前記第１の電気部品制御マイクロコンピュータに出力される。遊技媒体検出判定手段の働きにより、遊技媒体検出手段から前記遊技媒体検出信号が第１の所定期間出力されたことに応じて遊技媒体の払出に関連した処理が実行される。遊技媒体欠乏状態検出手段の働きにより、払出すための遊技媒体が欠乏した状態を検出して前記遊技媒体の払出の可否を判定するために用いられる信号が前記第１の電気部品制御マイクロコンピュータに出力される。払出不能判定手段の働きにより、該遊技媒体欠乏状態検出手段が出力する信号に基づき、払出が不能であるか否かが判定される。電圧生成手段の働きにより、供給された電力を整流し複数の電圧が生成される。該電圧生成手段により整流された電力の電圧を監視する電源監視手段の働きにより、予め定められた検出電圧に低下したときに検出信号が出力される。
前記第１の電気部品制御マイクロコンピュータと前記第２の電気部品制御マイクロコンピュータとは、共に、単一の前記電源監視手段から前記検出信号が入力されるとともに、該検出信号に応じて、電力供給が停止してもデータが保持されている前記ＲＡＭへのアクセスを禁止するＲＡＭアクセス禁止処理を行なう電力供給停止時処理を実行し、かつ、前記ＲＡＭがデータを保持している状態で電源断状態から電源が復帰したときに、前記ＲＡＭの保持データに基づいて、前記電源断状態発生時点の制御状態に復帰させる復帰時処理を行なう。
そして、前記払出不能判定手段は、前記遊技媒体欠乏状態検出手段が出力する払出の不能を示す信号を前記第１の所定期間よりも長い第２の所定期間検出したときに、前記遊技媒体の払出が不能である旨の判定をするとともに、前記遊技媒体の払出を不能とするための処理を実行する。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
請求項２に記載の本発明によれば、請求項１に記載の本発明の作用に加えて、前記払出不能判定手段の働きにより、前記遊技媒体欠乏状態検出手段が第１の所定時間よりも長い第３の所定時間連続して遊技媒体の払出が不能であることを示す信号を出力しないことを条件に、前記遊技媒体の払出の停止を解除するための処理が実行される。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】０３４３
【補正方法】変更
【補正の内容】
【０３４３】
【課題を解決するための手段の具体例の効果】
請求項１に記載の本発明によれば、以下の効果がある。本発明によれば、払出不能判定手段は、遊技媒体欠乏状態検出手段が出力する払出の不能を示す信号を第１の所定期間よりも長い第２の所定期間検出したときに、遊技媒体の払出が不能である旨の判定をするとともに、遊技媒体の払出を不能とするための処理を実行する。そのため、第１の所定時間および第２の所定時間を、用途に応じた適当な時間に設定すれば、それぞれの用途に応じた適切な検出時間による遊技媒体の検出が可能となり、具体的に以下のような効果がある。
【手続補正２５】
【補正対象書類名】明細書
【補正対象項目名】０３４４
【補正方法】変更
【補正の内容】
【０３４４】
すなわち、たとえば、遊技媒体の状態がわずかに変化するだけで遊技媒体欠乏状態検出手段が払出すための遊技媒体の欠乏した状態を誤検出する不都合を防止することができる。
【手続補正２６】
【補正対象書類名】明細書
【補正対象項目名】０３４５
【補正方法】変更
【補正の内容】
【０３４５】
また、たとえば、遊技媒体検出手段から遊技媒体検出信号が第２の所定期間よりも短い第１の所定期間出力されたことに応じて遊技媒体の払出に関連した処理が実行され、遊技媒体が遊技媒体検出手段により検出されてから即座に遊技媒体が払出されるため、遊技者に不満を生じさせることを防止することができる。
【手続補正２７】
【補正対象書類名】明細書
【補正対象項目名】０３４６
【補正方法】削除
【補正の内容】
【手続補正２８】
【補正対象書類名】明細書
【補正対象項目名】０３４７
【補正方法】削除
【補正の内容】
【手続補正２９】
【補正対象書類名】明細書
【補正対象項目名】０３４８
【補正方法】削除
【補正の内容】
【手続補正３０】
【補正対象書類名】明細書
【補正対象項目名】０３４９
【補正方法】削除
【補正の内容】
【手続補正３１】
【補正対象書類名】明細書
【補正対象項目名】０３５０
【補正方法】変更
【補正の内容】
【０３５０】
請求項２に記載の本発明によれば、請求項１に記載の発明の効果に加えて、以下のような効果がある。本発明では、遊技媒体欠乏状態検出手段が第１の所定時間よりも長い第３の所定時間連続して遊技媒体の払出が不能であることを示す信号を出力しないことを条件に、遊技媒体の払出の停止を解除するための処理が実行される。そのため、払出が停止された後、第３の所定時間連続して払出すための遊技媒体が欠乏した状態でなかった場合に次の払出が再開される。
【手続補正３２】
【補正対象書類名】明細書
【補正対象項目名】０３５１
【補正方法】削除
【補正の内容】
【手続補正３３】
【補正対象書類名】明細書
【補正対象項目名】０３５２
【補正方法】削除
【補正の内容】
【手続補正３４】
【補正対象書類名】明細書
【補正対象項目名】０３５３
【補正方法】削除
【補正の内容】
【手続補正３５】
【補正対象書類名】明細書
【補正対象項目名】０３５４
【補正方法】削除
【補正の内容】
【手続補正３６】
【補正対象書類名】明細書
【補正対象項目名】０３５５
【補正方法】削除
【補正の内容】